(57)【要約】【課題】原稿に描かれた画像に係る画像データを記録媒体に記録して持ち運ぶことを容易にする。【解決手段】デジタル複合機１０は、外付けのＣＦカード６０を着脱可能なＣＦインターフェース１３０を備える。操作者は、操作部１２５及び表示部１２６を用いて転送対象の画像データが格納されているメモリボックスＭＢの指定操作を行う（ステップＳ２０１）。すると、デジタル複合機１０は、ステップＳ２０１で指定されたメモリボックスＭＢに格納されている画像データを、ＣＦインターフェース１３０に装着されたＣＦカード６０へ転送する（ステップＳ２０２）。【選択図】図１
2007324664.tif 000002
【特許請求の範囲】
【請求項１】
原稿に描かれた画像を読み取り、当該画像に係る画像データを生成する読取手段と、
前記読取手段が生成した画像データを記憶区画に分けて格納する内蔵の格納手段と、
外付けの可搬性記録媒体を着脱可能なインターフェースと、
前記格納手段の、転送元として指定された格納区画から、前記インターフェースに装着された可搬性記録媒体へ画像データを転送する転送手段と、
を備えることを特徴とする画像読取装置。
【請求項２】
前記格納手段への画像データの格納にあたって、画像データの格納先の記憶区画を指定可能であることを特徴とする請求項１に記載の画像読取装置。
【請求項３】
前記転送手段は、Ｅｘｉｆ規格に準拠した画像データをＤＣＦフォーマットで前記インターフェースに装着された可搬性記録媒体に記録することを特徴とする請求項１又は請求項２に記載の画像読取装置。
【発明の詳細な説明】
【技術分野】
【０００１】
本発明は、画像読取装置に関する。
【背景技術】
【０００２】
従来、デジタル複合機（ＭＦＰ；Multi Function Peripherals）やスキャナ等の画像読取装置では、原稿に描かれた画像を読み取り、当該画像に係る画像データを、内蔵のメモリ若しくはハードディスクドライブ又はネットワーク接続されたパーソナルコンピュータのハードディスクドライブに格納していた。
【０００３】
なお、特許文献１は、本願発明と関連する先行技術文献であり、画像読取り手段によって得られた画像データを、装置本体に対して装着自在な記録媒体に書き込む技術に関する。
【０００４】
【特許文献１】特開平４−２９１５７３号公報
【発明の開示】
【発明が解決しようとする課題】
【０００５】
しかし、従来の画像読取装置では、内蔵のメモリ若しくはハードディスクドライブ又はネットワーク接続されたパーソナルコンピュータのハードディスクドライブに一旦格納した画像データを持ち運ぶことは困難であった。
【０００６】
本発明は、この問題を解決するためになされたもので、原稿に描かれた画像に係る画像データを記録媒体に記録して持ち運ぶことを容易にすることを目的とする。
【課題を解決するための手段】
【０００７】
上記課題を解決するため、請求項１の発明は、原稿に描かれた画像を読み取り、当該画像に係る画像データを生成する読取手段と、前記読取手段が生成した画像データを記憶区画に分けて格納する内蔵の格納手段と、外付けの可搬性記録媒体を着脱可能なインターフェースと、前記格納手段の、転送元として指定された格納区画から、前記インターフェースに装着された可搬性記録媒体へ画像データを転送する転送手段とを備えることを特徴とする画像読取装置である。
【０００８】
請求項２の発明は、前記格納手段への画像データの格納にあたって、画像データの格納先の記憶区画を指定可能であることを特徴とする請求項１に記載の画像読取装置である。
【０００９】
請求項３の発明は、前記転送手段は、Ｅｘｉｆ規格に準拠した画像データをＤＣＦフォーマットで前記インターフェースに装着された可搬性記録媒体に記録することを特徴とする請求項１又は請求項２に記載の画像読取装置である。
【発明の効果】
【００１０】
請求項１ないし請求項３の発明によれば、所望の画像データのみを記録媒体に記録して容易に持ち運ぶことができる。
【００１１】
請求項２の発明によれば、所望の画像データのみを記録媒体に記録して持ち運ぶことがさらに容易になる。
【００１２】
請求項３の発明によれば、画像データを容易に閲覧することができる。
【発明を実施するための最良の形態】
【００１３】
＜１  デジタル複合機の構成＞
図１は、本発明の望ましい実施形態に係る、画像読取装置の機能を有するデジタル複合機１０の構成を示すブロック図である。
【００１４】
図１に示すように、デジタル複合機１０は、ＭＰＵ（マイクロプロセッサ；MicroProcessor Unit）１１１、ＲＯＭ１１２及びＲＡＭ１１３を備える。ＭＰＵ１１１、ＲＯＭ１１２及びＲＡＭ１１３によって実現されるマイクロコンピュータ１１０は、ＲＯＭ１１２に格納されたプログラムを実行することにより、デジタル複合機１０の各構成を統括制御し、デジタル複合機１０の各種機能を実現している。
【００１５】
デジタル複合機１０のフラッシュメモリ１２１は、記憶内容を書き換え可能な不揮発性メモリであり、継続的に保持すべき各種の情報を記憶する。また、デジタル複合機１０の画像メモリ１２２は、デジタル複合機１０が処理対象とする画像を画像データとして一時的に記憶する。
【００１６】
デジタル複合機１０は、画像読取部１２３及び画像記録部１２４を備える。画像読取部１２３は、ＣＣＤ（Charge Coupled Device）イメージセンサ等により原稿に描かれた画像を読み取り、当該画像に係る画像データを生成する。画像読取部１２３は、ＡＤＦ（Automatic Document Feeder）方式又はＦＢＳ（Flat Bed Scanner）方式により原稿に描かれた画像を読み取ることができる。画像記録部１２４は、電子写真方式により、画像データに係る画像を記録媒体上に形成する。
【００１７】
デジタル複合機１０には、ユーザインターフェースとして、操作の対象となる操作部１２５と、情報を視認可能に表示する表示部１２６とが設けられる。デジタル複合機１０では、表示部１２６に液晶タッチパネルディスプレイが採用されており、表示部１２６が操作部１２５の一部を兼ね備えている。
【００１８】
ネットワークインターフェース１２７は、例えば、イーサネット（登録商標）により、デジタル複合機１０をＬＡＮ５０に接続する。
【００１９】
ＮＣＵ（網制御装置；Network Control Unit）１２８及びＭＯＤＥＭ（モデム；MOdulator DEModulator）１２９は、公衆交換電話網９１を経由したファックス画像の送受信に用いられる。ＮＣＵ１２８は、公衆交換電話網９１への接続を制御する。ＮＣＵ１２８は、通信先の電話番号に対応したダイヤル信号を送出する機能及び着信を検出する機能を備える。ＭＯＤＥＭ１２９は、ＩＴＵ（国際電気通信連合）−Ｔ勧告Ｔ.３０にしたがったファックス伝送制御手順に基づいて、Ｖ．１７，Ｖ．２７ｔｅｒ，Ｖ．２９等にしたがった送信データの変調及び受信データの復調を行う。又は、ＭＯＤＥＭ１２９は、これらに加えて、Ｖ．３４にしたがった送信データの変調及び受信データの復調を行う。
【００２０】
さらに、デジタル複合機１０は、外付けのコンパクトフラッシュ（登録商標）カード（以下、「ＣＦカード」）６０を着脱可能なコンパクトフラッシュ（登録商標）インターフェース（以下、「ＣＦインターフェース」）１３０を備える。デジタル複合機１０は、ＣＦインターフェース１３０に装着されたＣＦカード６０にアクセスすることができる。
【００２１】
コピーモードでは、デジタル複合機１０は、画像読取部１２３を用いて原稿に描かれた画像を読み取り、画像記録部１２４を用いて当該画像を記録紙等の記録媒体上に形成することにより、原稿から記録媒体へ画像をコピーする。
【００２２】
ファックスモードでは、デジタル複合機１０は、画像読取部１２３を用いて原稿に描かれた画像を読み取り、ＮＣＵ１２８及びＭＯＤＥＭ１２９を用いて当該画像に係る画像データを他のファックス装置へ送信する（ファックス送信）。また、デジタル複合機１０は、他のファックス装置から送信されてきた画像データに係る画像を、画像記録部１２４を用いて記録媒体上に形成する（ファックス受信）。なお、デジタル複合機１０は、公衆交換電話網９１を用いたファックスの送受信において、Ｇ３方式やスーパーＧ３方式を用いている。
【００２３】
スキャナモードでは、デジタル複合機１０は、画像読取部１２３を用いて原稿上の画像を読み取り、当該画像に係る画像データを、メモリボックス（格納区画）ＭＢに分けて、内蔵のフラッシュメモリ１２１へ格納する。フラッシュメモリ１２１への画像データの格納にあたっては、操作者は、操作部１２５及び表示部１２６を用いて、画像データを格納するメモリボックスＭＢを指定することができる。
【００２４】
プリンタモードでは、デジタル複合機１０は、クライアントコンピュータ２０からＬＡＮ５０を経由して送信されてきた画像データを受信し、画像記録部１２４を用いて当該画像データに係る画像を記録媒体上に形成する。
【００２５】
＜２  デジタル複合機の動作＞
図２は、スキャナモードにおいて原稿に描かれた画像を読み取る場合の処理の流れを示すフローチャートであり、図３は、フラッシュメモリ１２１に格納された画像データをＣＦインターフェース１３０に装着されたＣＦカード６０へ転送する場合の処理の流れを示すフローチャートである。
【００２６】
図２に示すように、原稿に描かれた画像の読み取りにあたっては、まず、操作者は、読み取り対象の原稿を画像読取部１２３にセットし（ステップＳ１０１）、操作部１２５及び表示部１２６を用いて画像データの格納先のメモリボックスＭＢの指定操作を行う（ステップＳ１０２）。すると、デジタル複合機１０は、読取開始指示（例えば、スタートボタンの押下）に応答して、原稿に描かれた画像を画像読取部１２３で読み取り、画像読取部１２３が生成した当該画像に係る画像データを、ステップＳ１０２で指定されたメモリボックスＭＢへ格納する（ステップＳ１０３）。
【００２７】
一方、図３に示すように、フラッシュメモリ１２１に格納された画像データの、ＣＦインターフェース１３０に装着されたＣＦカード６０への転送にあたっては、操作者は、まず、操作部１２５及び表示部１２６を用いて転送対象の画像データが格納されたメモリボックスＭＢの指定操作を行う（ステップＳ２０１）。すると、デジタル複合機１０は、ステップＳ２０１で転送元として指定されたメモリボックスＭＢに格納されている画像データをＣＦインターフェース１３０に装着されたＣＦカード６０へ転送する（ステップＳ２０２）。この画像データ転送処理は、マイクロコンピュータ１１０がＲＯＭ１１２に格納されたプログラムを実行し、デジタル複合機１０を統括制御することにより行われる。ステップＳ２０２の後、操作者は、画像データの転送を終了することもできるし（ステップＳ２０３で"YES"）、メモリボックスＭＢの指定操作を行って、デジタル複合機１０に画像データ転送処理を行わせることもできる（ステップＳ２０３で"NO"）。
【００２８】
このような処理の流れによれば、原稿に描かれた画像に係る画像データをＣＦカード６０に記録して容易に持ち運ぶことできるとともに、所望の画像データのみをＣＦカード６０に記録して持ち運ぶことができる。
【００２９】
なお、ＣＦカード６０へ格納する画像データの形式は、特に制限されず、ビットマップ、ＪＰＥＧ（Joint Photographic Experts Group）、ＧＩＦ（Graphic Interchange Format）及びＴＩＦＦ（Tagged Image File Format）等とすることができる。ただし、ＣＦカード６０への画像データの格納を、デジタルスチルカメラ等で汎用的に行われているように、Ｅｘｉｆ（Exchangeable Image File Format）規格に準拠した画像データをＤＣＦ（Design rule for Camera File system）フォーマットで格納するようにすれば、ＣＦカード６０に格納された画像データをデジタルスチルカメラや携帯情報端末で容易に閲覧することができるようになる。
【００３０】
＜３  変形例＞
上述の説明では、ＣＦインターフェース１３０に装着されたＣＦカード６０に画像データを転送する場合について説明したが、ＣＦカード６０以外の可搬性記録媒体、例えば、ＳＤメモリカード、ｘＤピクチャーカード、メモリースティック等のフラッシュメモリ類やＵＳＢ（Universal Serial Bus）ストレージ（特に、ＵＳＢフラッシュメモリ）等を着脱可能なインターフェースをデジタル複合機１０に設け、当該インターフェースに装着された可搬性記録媒体に画像データを転送するようにしてもよい。
【００３１】
また、所望の画像データのみをＣＦカード６０に記録して持ち運ぶためには、上述したように、ＣＦカード６０への画像データの格納にあたって、画像データの格納先のメモリボックスＭＢを指定可能とすることが望ましいが、このことは、画像データの格納先のメモリボックスＭＢがデジタル複合機１０によって自動的に決定されることを妨げるものではない。
【図面の簡単な説明】
【００３２】
【図１】本発明の望ましい実施形態に係るデジタル複合機１０の構成を示すブロック図である。
【図２】スキャナモードにおいて原稿に描かれた画像を読み取る場合の処理の流れを示すフローチャートである。
【図３】フラッシュメモリ１２１に格納された画像データをＣＦインターフェース１３０に装着されたＣＦカード６０へ転送する場合の処理の流れを示すフローチャートである。
【符号の説明】
【００３３】
１０  デジタル複合機
１１１  ＭＰＵ
１１２  ＲＯＭ
１１３  ＲＡＭ
１２１  フラッシュメモリ
１２２  画像メモリ
１２３  画像読取部
１２４  画像記録部
１２５  操作部
１２６  表示部
１２７  ネットワークインターフェース
１２８  ＮＣＵ
１２９  ＭＯＤＥＭ
１３０  コンパクトフラッシュ（登録商標）カード
６０  コンパクトフラッシュ（登録商標）インターフェース
ＭＢ  メモリボックス
【図１】
2007324664.tif 000003
【図２】
2007324664.tif 000004
【図３】
2007324664.tif 000005